(57)【要約】【課題】ゴルファーが、ウッド、ユーティリティ、アイアン等のゴルフクラブの複数の種類のうちのいずれを得意としているのかを定量的に判定可能な装置を提供する。【解決手段】複数の種類のゴルフクラブの中から、ゴルファーに適したゴルフクラブのセットを選択するのを支援するためのフィッティング装置が提供される。前記フィッティング装置は、取得部と、特定部と、判定部とを備える。取得部は、ゴルファーが、複数の種類のゴルフクラブの中から、ゴルフクラブの各種類について少なくとも一つの番手のゴルフクラブを試打した計測データを取得する。特定部は、計測データに基づいて、ゴルフクラブの各種類について、ロフト角と飛距離との対応関係を特定する。判定部は、対応関係に基づいて、ロフト角に対する飛距離が大きいゴルフクラブの種類を、ゴルファーが得意なゴルフクラブの種類である得意種類と判定する。【選択図】図４
2015077246.tif 000002
【特許請求の範囲】
【請求項１】
複数の種類のゴルフクラブの中から、ゴルファーに適したゴルフクラブのセットを選択するのを支援するためのフィッティング装置であって、
前記ゴルファーが、前記複数の種類のゴルフクラブの中から、ゴルフクラブの各種類について少なくとも一つの番手のゴルフクラブを試打した計測データを取得する取得部と、
前記計測データに基づいて、ゴルフクラブの各種類について、ロフト角と飛距離との対応関係を特定する特定部と、
前記対応関係に基づいて、ロフト角に対する飛距離が大きいゴルフクラブの種類を、前記ゴルファーが得意なゴルフクラブの種類である得意種類と判定する判定部と
を備える、
ゴルフクラブのセットのフィッティング装置。
【請求項２】
前記複数の種類のゴルフクラブの中から、前記得意種類のゴルフクラブを優先して、前記ゴルフクラブのセットに含めるべきゴルフクラブを決定する決定部、
をさらに備える、
請求項１に記載のゴルフクラブのセットのフィッティング装置。
【請求項３】
前記特定部は、前記計測データに基づいて、ゴルフクラブの各種類について、ロフト角の異なる複数の番手のゴルフクラブによる飛距離を特定することで、前記対応関係を特定し、
前記決定部は、前記対応関係に基づいて、同程度の飛距離を飛ばすゴルフクラブが複数本存在する場合には、当該複数本のゴルフクラブのうち、前記得意種類のゴルフクラブが優先されるように、前記ゴルフクラブのセットに含めるべきゴルフクラブを決定する、
請求項２に記載のゴルフクラブのセットのフィッティング装置。
【請求項４】
前記計測データは、特定の種類のゴルフクラブについて、前記ゴルファーが複数の番手のゴルフクラブを試打したデータを含み、
前記特定部は、前記計測データに基づいて、前記特定の種類のゴルフクラブについて、ロフト角と飛距離とが比例するように、様々なロフト角を有する様々な番手のゴルフクラブによる飛距離をシミュレーションすることで、前記対応関係を特定する、
請求項１から３のいずれかに記載のゴルフクラブのセットのフィッティング装置。
【請求項５】
前記取得部は、前記計測データに加え、前記ゴルファーがドライバーを試打した参考データをさらに取得し、
前記特定部は、前記参考データに基づいて、前記ドライバーによるヘッドスピードを特定し、前記計測データに加え、当該ヘッドスピードに基づいて、特定の種類のゴルフクラブについて、様々なロフト角を有する様々な番手のゴルフクラブによる飛距離をシミュレーションすることで、前記対応関係を特定する、
請求項１から３のいずれかに記載のゴルフクラブのセットのフィッティング装置。
【請求項６】
前記ゴルフクラブの種類には、ウッド、ユーティリティ及びアイアンのうちの少なくとも２つが含まれる、
請求項１から５のいずれかに記載のゴルフクラブのセットのフィッティング装置。
【請求項７】
複数の種類のゴルフクラブの中から、ゴルファーに適したゴルフクラブのセットを選択するのを支援するためのフィッティング方法であって、
前記ゴルファーが、前記複数の種類のゴルフクラブの中から、ゴルフクラブの各種類について少なくとも一つの番手のゴルフクラブを試打した計測データを取得するステップと、
前記計測データに基づいて、ゴルフクラブの各種類について、ロフト角と飛距離との対応関係を特定するステップと、
前記対応関係に基づいて、ロフト角に対する飛距離が大きいゴルフクラブの種類を、前記ゴルファーが得意なゴルフクラブの種類である得意種類と判定するステップと
を備える、
ゴルフクラブのセットのフィッティング方法。
【請求項８】
複数の種類のゴルフクラブの中から、ゴルファーに適したゴルフクラブのセットを選択するのを支援するためのフィッティングプログラムであって、
前記ゴルファーが、前記複数の種類のゴルフクラブの中から、ゴルフクラブの各種類について少なくとも一つの番手のゴルフクラブを試打した計測データを取得するステップと、
前記計測データに基づいて、ゴルフクラブの各種類について、ロフト角と飛距離との対応関係を特定するステップと、
前記対応関係に基づいて、ロフト角に対する飛距離が大きいゴルフクラブの種類を、前記ゴルファーが得意なゴルフクラブの種類である得意種類と判定するステップと
をコンピュータに実行させる、
ゴルフクラブのセットのフィッティングプログラム。
【発明の詳細な説明】
【技術分野】
【０００１】
本発明は、ウッド、ユーティリティ、アイアン等の様々な種類の様々な番手の多数のゴルフクラブの中から、ゴルファーに適したゴルフクラブのセットを選択するのを支援するためのゴルフクラブのセットのフィッティング装置、方法及びプログラムに関する。
【背景技術】
【０００２】
ゴルフクラブには、ドライバー、ウッド、ユーティリティ、アイアン、パター等の複数の種類があり、これらの複数の種類のゴルフクラブが組み合わされて、個々人に適したゴルフクラブのセットがカスタマイズされる。ゴルフクラブのセットは、通常、ドライバー１本と、パター１本と、ＰＷ（ピッチングウェッジ）、ＡＷ（アプローチウェッジ）及びＳＷ（サンドウェッジ）と呼ばれるアイアン３本との計５本を必須要素として含む、１４本のゴルフクラブから構成される。残りの９本のゴルフクラブについては、ウッド、ユーティリティ、アイアン等の所定の種類のゴルフクラブ中から、個々人に適したものを選択することになる。すなわち、ウッド、ユーティリティ、アイアン等の種類のゴルフクラブには、それぞれ複数の番手のゴルフクラブが存在し、ユーザは、これらの様々な種類の様々な番手のゴルフクラブの中から、例えば、３番及び５番ウッド、３番ユーティリティ、及び４番から９番アイアンのように自由に組み合わせることができる。しかしながら、どの種類のどの番手を選択すべきかの判断は、感性によるところが大きく、ゴルフクラブのセットのカスタマイズは容易ではない。
【０００３】
ゴルフクラブのセットのカスタマイズを支援するための従来技術としては、例えば、特許文献１がある。本文献は、ゴルファーがゴルフクラブを試打した計測データ等に基づいて、セットに含まれるゴルフクラブによる飛距離が所望の間隔（均一な場合も、不均一な場合もある）を空けるようなセットを判定し、ユーザに提示するシステムを開示している。すなわち、特許文献１では、飛距離が所望の分布となるようにという観点から、ゴルフクラブのセットを自動的に選択している。また、特許文献１では、ゴルファーの好みをインタビュー等から把握してシステムに入力し、ゴルフクラブのセットの判定に利用することも開示されている。なお、特許文献１でいうゴルファーの好みとは、例えば、所望のゴルフクラブの種類及び番号（アイアン、ウッドの番号等）やクラブの長さ等である。
【先行技術文献】
【特許文献】
【０００４】
【特許文献１】特開２００９−２２６２１５号公報
【発明の概要】
【発明が解決しようとする課題】
【０００５】
しかしながら、同程度の飛距離を実現するゴルフクラブは、複数本存在し得る。例えば、一般に、ウッド、ユーティリティ及びアイアンは、それぞれ番手の数値が小さくなる程、ロフト角が小さくなり、飛距離が伸びるように設計されている。また、アイアン、ユーティリティ及びウッドによる飛距離は、一般的な傾向としては、この順で伸びるものの、重複部分も存在する。従って、同じ種類間では生じにくいが、ユーティリティとアイアン等、異なる種類のゴルフクラブ間では、飛距離が同程度になることがしばしば起こる。特許文献１は、このような状況を全く想定しておらず、飛距離に注目してゴルフクラブを選択するにしても、同程度の飛距離を実現するゴルフクラブが見つかった場合にどうすればよいのかについては、何らの解決策も開示していない。また、特許文献１では、ゴルフクラブのセットの判定にゴルファーの好みが参照されるものの、好みとは結局は感性である。すなわち、従来、ゴルファーは、依然として自身やインストラクター等の感性に頼ってゴルフクラブを選択せざるを得ず、そのことが、ゴルフクラブのセットのカスタマイズを難しくしている。
【０００６】
本発明は、ゴルファーが、ウッド、ユーティリティ、アイアン等のゴルフクラブの複数の種類のうちのいずれを得意としているのかを定量的に判定し、ゴルファーに適したゴルフクラブのセットの選択を支援することができるフィッティング装置、方法及びプログラムを提供することを目的とする。
【課題を解決するための手段】
【０００７】
本発明の第１観点に係るゴルフクラブのセットのフィッティング装置は、複数の種類のゴルフクラブの中から、ゴルファーに適したゴルフクラブのセットを選択するのを支援するためのフィッティング装置であって、取得部と、特定部と、判定部とを備える。前記取得部は、前記ゴルファーが、前記複数の種類のゴルフクラブの中から、ゴルフクラブの各種類について少なくとも一つの番手のゴルフクラブを試打した計測データを取得する。前記特定部は、前記計測データに基づいて、ゴルフクラブの各種類について、ロフト角と飛距離との対応関係を特定する。前記判定部は、前記対応関係に基づいて、ロフト角に対する飛距離が大きいゴルフクラブの種類を、前記ゴルファーが得意なゴルフクラブの種類である得意種類と判定する。
【０００８】
なお、ここでいう「ロフト角と飛距離との対応関係を特定する」とは、少なくとも１つのロフト角とそれに対応する飛距離とを対応付ける情報を特定することを意味する。また、「ロフト角に対する飛距離が大きいゴルフクラブの種類」を得意種類と判定することには、「飛距離に対するロフト角が小さいゴルフクラブの種類」を得意種類と判定することが含まれる。
【０００９】
本発明の第２観点に係るゴルフクラブのセットのフィッティング装置は、第１観点に係るフィッティング装置であって、決定部をさらに備える。前記決定部は、前記複数の種類のゴルフクラブの中から、前記得意種類のゴルフクラブを優先して、前記ゴルフクラブのセットに含めるべきゴルフクラブを決定する。
【００１０】
本発明の第３観点に係るゴルフクラブのセットのフィッティング装置は、第２観点に係るフィッティング装置であって、前記特定部は、前記計測データに基づいて、ゴルフクラブの各種類について、ロフト角の異なる複数の番手のゴルフクラブによる飛距離を特定することで、前記対応関係を特定する。前記決定部は、前記対応関係に基づいて、同程度の飛距離を飛ばすゴルフクラブが複数本存在する場合には、当該複数本のゴルフクラブのうち、前記得意種類のゴルフクラブが優先されるように、前記ゴルフクラブのセットに含めるべきゴルフクラブを決定する。
【００１１】
本発明の第４観点に係るゴルフクラブのセットのフィッティング装置は、第１観点から第３観点のいずれかに係るフィッティング装置であって、前記計測データは、特定の種類のゴルフクラブについて、前記ゴルファーが複数の番手のゴルフクラブを試打したデータを含む。前記特定部は、前記計測データに基づいて、前記特定の種類のゴルフクラブについて、ロフト角と飛距離とが比例するように、様々なロフト角を有する様々な番手のゴルフクラブによる飛距離をシミュレーションすることで、前記対応関係を特定する。
【００１２】
本発明の第５観点に係るゴルフクラブのセットのフィッティング装置は、第１観点から第３観点のいずれかに係るフィッティング装置であって、前記取得部は、前記計測データに加え、前記ゴルファーがドライバーを試打した参考データをさらに取得する。前記特定部は、前記参考データに基づいて、前記ドライバーによるヘッドスピードを特定し、前記計測データに加え、当該ヘッドスピードに基づいて、特定の種類のゴルフクラブについて、様々なロフト角を有する様々な番手のゴルフクラブによる飛距離をシミュレーションすることで、前記対応関係を特定する。
【００１３】
本発明の第６観点に係るゴルフクラブのセットのフィッティング装置は、第１観点から第５観点のいずれかに係るフィッティング装置であって、前記ゴルフクラブの種類には、ウッド、ユーティリティ及びアイアンのうちの少なくとも２つが含まれる。
【００１４】
本発明の第７観点に係るゴルフクラブのセットのフィッティング方法は、複数の種類のゴルフクラブの中から、ゴルファーに適したゴルフクラブのセットを選択するのを支援するためのフィッティング方法であって、前記ゴルファーが、前記複数の種類のゴルフクラブの中から、ゴルフクラブの各種類について少なくとも一つの番手のゴルフクラブを試打した計測データを取得するステップと、前記計測データに基づいて、ゴルフクラブの各種類について、ロフト角と飛距離との対応関係を特定するステップと、前記対応関係に基づいて、ロフト角に対する飛距離が大きいゴルフクラブの種類を、前記ゴルファーが得意なゴルフクラブの種類である得意種類と判定するステップとを備える。
【００１５】
本発明の第８観点に係るゴルフクラブのセットのフィッティングプログラムは、複数の種類のゴルフクラブの中から、ゴルファーに適したゴルフクラブのセットを選択するのを支援するためのフィッティングプログラムであって、前記ゴルファーが、前記複数の種類のゴルフクラブの中から、ゴルフクラブの各種類について少なくとも一つの番手のゴルフクラブを試打した計測データを取得するステップと、前記計測データに基づいて、ゴルフクラブの各種類について、ロフト角と飛距離との対応関係を特定するステップと、前記対応関係に基づいて、ロフト角に対する飛距離が大きいゴルフクラブの種類を、前記ゴルファーが得意なゴルフクラブの種類である得意種類と判定するステップとをコンピュータに実行させる。
【発明の効果】
【００１６】
本発明では、ウッド、ユーティリティ、アイアン等の複数の種類のゴルフクラブの各種類について、ロフト角に対する飛距離が特定される。そして、ゴルフクラブの種類間でロフト角に対する飛距離が比較され、ロフト角に対する飛距離が大きいゴルフクラブの種類が、ゴルファーの得意種類と判定される。ここで、一般に、ゴルフクラブのロフト角が小さくなる程、ゴルフクラブが長くなる等し、扱いが難しくなる。従って、ロフト角に対する飛距離が大きいということは、扱いが難しいにも関わらず、飛距離が伸びていることを意味するから、ここでは、そのようなロフト角に対する飛距離を実現する種類が、ゴルファーの得意とする種類であると判断される。言い換えると、同じ難易度、すなわち、同じロフト角なら、より飛距離の伸びる種類のゴルフクラブが得意と判断される。よって、ここでは、ゴルファーが、ウッド、ユーティリティ、アイアン等のゴルフクラブの複数の種類のうちのいずれを得意としているのかを定量的に判定し、ゴルファーに適したゴルフクラブのセットの選択を支援することができる。
【図面の簡単な説明】
【００１７】
【図１】本発明の一実施形態に係るゴルフクラブのセットのフィッティング装置を備えるフィッティングシステムの全体構成を示す図。
【図２】ウッド、ユーティリティ及びアイアンの番手毎のロフト角の一覧表を示す図。
【図３】フィッティング装置の構成を示すブロック図。
【図４】フィッティング処理の流れを示すフローチャート。
【図５】ドライバーの試打時の画面を示す図。
【図６】ドライバーの試打時の別の画面を示す図。
【図７】診断に用いるドライバーを選択するための画面を示す図。
【図８】計測のタイプを設定するための画面を示す図。
【図９】テストクラブの番手を設定するための画面を示す図。
【図１０】テストクラブの打順を設定するための画面を示す図。
【図１１】テストクラブの試打時の画面を示す図。
【図１２】テストクラブの試打時の別の画面を示す図。
【図１３】フィッティングの結果を表示する画面を示す図。
【図１４】フィッティングの結果を表示する別の画面を示す図。
【図１５】選択候補のゴルフクラブによる飛距離の理想範囲を示す概念図。
【発明を実施するための形態】
【００１８】
以下、図面を参照しつつ、本発明の一実施形態に係るゴルフクラブのセットのフィッティング装置、方法及びプログラムについて説明する。
【００１９】
＜１．ゴルフクラブのセットのフィッティングシステムの概略＞
図１に、本実施形態に係るゴルフクラブのセットのフィッティング装置２を備えるフィッティングシステム１００の全体構成を示す。フィッティング装置２は、ゴルファー７が様々な種類のゴルフクラブを試打したときの計測データに基づいて、多数のゴルフクラブの中から、ゴルファー７に適したゴルフクラブのセットを選択するのを支援するための装置である。以上の計測は、計測システム１により行われ、フィッティング装置２は、この計測システム１とともに、フィッティングシステム１００を構成する。
【００２０】
本実施形態においてゴルフクラブのセットを構成することができるゴルフクラブのラインナップには、ドライバー、ウッド、ユーティリティ、アイアン及びパターの５種類が存在する。また、ウッドには、３番、４番、５番、７番及び９番の５つの番手が存在する。ユーティリティには、３＋番と３番から６番の５つの番手が存在する。アイアンには、４番から９番とＰＷ（ピッチングウェッジ）、ＡＷ（アプローチウェッジ）及びＳＷ（サンドウェッジ）の９つの番手が存在する。
【００２１】
ゴルフのラウンド中に、ゴルファー７がゴルフバックに入れて携帯できるゴルフクラブの本数は、ルール上１４本以下と規定されている。フィッティング装置２は、以上のゴルフクラブのラインナップの中から、ゴルファー７に適した１４本以下のゴルフクラブを選択する。このとき、本実施形態では、ゴルフクラブのセットには、ドライバー１本、パター１本、ＰＷ、ＡＷ及びＳＷのアイアン３本に加え、６番から９番のアイアン４本の計９本が、必須要素として必ず含まれる。従って、フィッティング装置２は、実質的には、１４本以下のゴルフクラブのセットのうち、最大で５本を決定する。この５本は、以上のゴルフクラブのラインナップの中で必須要素とされていない要素、すなわち、３番、４番、５番、７番及び９番の５つの番手のウッドと、３＋番と３番から６番の５つの番手のユーティリティと、４番及び５番の２つの番手のアイアンとの計１２本のゴルフクラブの中から選択される。以下、これらの１２本のゴルフクラブを、「選択候補のゴルフクラブ」と称する。なお、詳細は後述するが、サンドウェッジを２本所持したいというゴルファー７もいるため、そのようなゴルファー７に対しては、１２本の選択候補のゴルフクラブの中から、最大で４本のゴルフクラブが選択される。
【００２２】
図２は、ウッド、ユーティリティ及びアイアンの番手毎のロフト角の一覧表を示している。図２に示されるとおり、ウッド、ユーティリティ及びアイアンの各種類について、番手の数値が小さくなる程、ロフト角が小さくなる。また、ロフト角が小さくなる程、ゴルフクラブが長くなり、飛距離が伸びるように設計されている。また、ウッド、ユーティリティ及びアイアンのロフト角は、全体としては、この順で大きくなるもの、ウッド、ユーティリティ及びアイアン間では、ロフト角の重複部分が存在する。
【００２３】
以下、計測システム１及びフィッティング装置２の構成について説明した後、フィッティングシステム１００によるフィッティング処理の流れについて説明する。
【００２４】
＜２．計測システムの構成＞
計測システム１は、ゴルファー７が様々な種類のゴルフクラブを試打する様子をカメラ撮影により計測するシステムである。図１に示すように、計測システム１は、カメラ１０に加え、ショットマット１１、ゴルフボール１２、センサー１３及びコントローラ１４を備える。カメラ１０及びセンサー１３は、コントローラ１４に有線又は無線の通信線（図示されない）を介して接続されている。また、コントローラ１４は、ＣＰＵ及び記憶装置を搭載しており、カメラ１０の動作を制御し、カメラ１０で撮影された画像データ（計測データ）を少なくとも一時的に記憶した後、有線又は無線の通信線１６を介してフィッティング装置２に送信する。
【００２５】
ショットマット１１は、その上でゴルファー７がショットを行うための矩形状のマットである。カメラ１０は、ショットマット１１の側方に配置される。ゴルフボール１２は、カメラ１０による撮影が可能なように、ショットマット１１上であって、カメラ１０の前方に配置される。ゴルフボール１２には、カメラ１０により撮影された画像データからゴルフボール１２の挙動を解析し易いように、適宜、点状、線状等の形状のマーカーが付されている。
【００２６】
センサー１３は、カメラ１０による撮影のタイミングを図るためのセンサーであり、発光部１３ａ及び受光部１３ｂを備える。発光部１３ａは、カメラ１０に向かって立ってショットを行おうとする右打ちのゴルファー７から見て、カメラ１０の右横付近に配置される。左打ちの場合は、左横付近に配置される。一方、受光部１３ｂは、発光部１３ａからの光を受信できるように、ショットマット１１上であって、発光部１３ａの前方に配置される。なお、発光部１３ａ及び受光部１３ｂの位置は、逆であってもよい。
【００２７】
そして、ゴルファー７がゴルフクラブをダウンスイングし、ゴルフクラブのヘッド又はシャフトが発光部１３ａ及び受光部１３ｂ間を通過するとき、発光部１３ａ及び受光部１３ｂ間で光が遮断される。受光部１３ｂは、この遮断を検出すると直ちに、コントローラ１４に検出信号を送信する。一方のコントローラ１４は、受光部１３ｂから以上の検出信号を受信すると、カメラ１０に撮影を命令する。カメラ１０は、ストロボ機能付きであり、コントローラ１４から撮影の命令を受信すると、一定の時間、ストロボを発光させるとともに、短い時間間隔で連続撮影する。従って、このとき、ゴルフクラブのヘッドがゴルフボール１２に衝突するインパクトの前後の画像が複数枚撮影されることになる。カメラ１０は、撮影された画像データ（計測データ）をコントローラ１４に送信する。
【００２８】
＜３．フィッティング装置の構成＞
図３は、フィッティング装置２の構成を示すブロック図である。フィッティング装置２は、ＣＤ−ＲＯＭ、ＵＳＢメモリ等のコンピュータで読み取り可能な記録媒体３に格納されたフィッティングプログラム４を当該記録媒体３から汎用のパーソナルコンピュータにインストールすることにより製造される。フィッティングプログラム４は、計測システム１から送られてくる画像データを、ゴルファー７に適したゴルフクラブのセットの選択を支援するための情報に加工するためのソフトウェアである。フィッティングプログラム４は、フィッティング装置２に後述する動作を実行させる。
【００２９】
フィッティング装置２は、表示部２１、入力部２２、記憶部２３、制御部２４、及び通信部２５を備える。そして、これらの部２１〜２５は、互いにバス線２６で接続されており、相互に通信可能である。本実施形態では、表示部２１を、液晶ディスプレイ等で構成することができ、後述する画面等をユーザに対し表示する。なお、ここでいうユーザとは、ゴルファー７自身やそのインストラクター等の、フィッティングの結果を必要とする者の総称である。また、入力部２２は、マウス、キーボード、タッチパネル等で構成することができ、フィッティング装置２に対するユーザからの操作を受け付ける。
【００３０】
記憶部２３は、ハードディスク等で構成することができる。記憶部２３内には、フィッティングプログラム４が格納されている他、ソフトウェア管理領域２３１が確保されている。ソフトウェア管理領域２３１は、フィッティングプログラム４が使用する領域である。ソフトウェア管理領域２３１内には、図２に示す番手毎のロフト角を含む、ウッド、ユーティリティ及びアイアンのスペックの一覧テーブル（以下、スペック一覧テーブル）も格納されている。また、ソフトウェア管理領域２３１内には、計測システム１から送られてくる画像データが保存される。
【００３１】
制御部２４は、ＣＰＵ、ＲＯＭおよびＲＡＭ等から構成することができる。制御部２４は、記憶部２３内のフィッティングプログラム４を読み出して実行することにより、図１に示すように、仮想的に表示制御部２４Ａ、設定部２４Ｂ、取得部２４Ｃ、特定部２４Ｄ、判定部２４Ｅ、決定部２４Ｆ及び印刷制御部２４Ｇとして動作する。各部２４Ａ〜２４Ｇの動作の詳細については、後述する。
【００３２】
通信部２５は、計測システム１の記憶装置等の外部記憶装置から通信線１６を介してデータを受信する通信インターフェースとして機能する。また、通信部２５は、フィッティング装置２を図示しないプリンタ、プロッタ等に接続することができる。従って、後述されるフィッティングの結果は、印刷制御部２４Ｇにより、通信部２５を介して当該プリンタ、プロッタ等から出力することができる。
【００３３】
＜４．フィッティング処理の流れ＞
以下、図４を参照しつつ、フィッティングシステム１００によるフィッティング処理の流れについて説明する。
【００３４】
まず、ユーザは、上述したゴルフクラブのラインナップの中からゴルフクラブのセットを選択したいと思ったときに、入力部２２を適当に操作して、フィッティング装置２上でフィッティングプログラム４を起動させる。これにより、図４に示すフィッティング処理が開始する。
【００３５】
まず、ステップＳ１として、表示部２１上には、図５に示すような画面Ｗ１が表示される。なお、表示部２１上への各種画面の表示は、全て表示制御部２４Ａにより制御される。画面Ｗ１の下部のエリアＡ１には、ゴルファー７にドライバーを試打させるように案内するメッセージが表示されている。この案内に従って、ゴルファー７がドライバーを試打すると、その様子、特に、インパクトの前後のゴルフボール１２の周辺の画像が、カメラ１０により連続撮影される。この画像データは、カメラ１０からコントローラ１４を経てフィッティング装置２に送信される。取得部２４Ｃは、この画像データを取得し、後に特定部２４Ｄが参照可能なようにソフトウェア管理領域２３１内の所定のディレクトリに保存する。
【００３６】
次に、ステップＳ２では、特定部２４Ｄは、ソフトウェア管理領域２３１内の画像データを画像処理することにより、ゴルフクラブのショットの特性を表す様々なパラメータの値（以下、ショット特性値という）を算出する。具体的には、このようなパラメータとしては、ゴルフクラブのヘッドのスピード（ヘッドスピード）、ゴルフボール１２のスピード（ボールスピード）、ゴルフボール１２にかかるバックスピン及びサイドスピンの回転速度、並びに、ゴルフボール１２の飛距離等がある。また、飛距離としては、キャリー及びトータルの両方が算出されるが、本実施形態では、特に断らない限り、単に飛距離というときには、トータルの飛距離を意味するものとする。なお、以上のような画像データに基づいてショット特性値を算出する方法は、様々なものが公知であるため、ここでは詳細な説明を省略する。
【００３７】
また、ステップＳ２では、表示制御部２４Ａは、特定部２４Ｄにより算出されたショット特性値の一覧表Ａ２を画面Ｗ１上に表示する（図６参照）。なお、ショット特性値のシミュレーションの精度を上げるため、ゴルファー７は、同じドライバーを複数回試打することができる。この場合には、特定部２４Ｄにより、全試打でのショット特性値の平均値が算出されるが、図６に示すとおり、一覧表Ａ２には、この平均値に加え、各回のショット特性値も表示される。また、特定部２４Ｄは、各試打によるゴルフボール１２の軌道もシミュレーションし、表示制御部２４Ａは、画面Ｗ１上のエリアＡ３にこの軌道を２次元又は３次元グラフィック表示する。
【００３８】
なお、以上のステップＳ１，Ｓ２は、異なるドライバーに対し、必要に応じて複数回繰り返すことができる。複数回繰り返す場合には、ユーザは、画面Ｗ１上の「クラブを変える」ボタンＡ４を押せばよい。これにより、フィッティング装置２は、ステップＳ１，Ｓ２を繰り返し実行することができる。一方、少なくとも１本のドライバーに対するステップＳ１，Ｓ２が終了した後、ステップＳ１，Ｓ２を終了させる場合には、ユーザは、画面Ｗ１上の「計測終了」ボタンＡ５を押す。なお、図６は、３本目のゴルフクラブに対する計測中の画面Ｗ１を示している。
【００３９】
ステップＳ１，Ｓ２が終了すると、ステップＳ３が実行される。ステップＳ３では、設定部２４Ｂが、図７に示すような画面Ｗ２を介して、診断に用いるドライバーの選択を受け付ける。すなわち、複数本のドライバーに対してステップＳ１，Ｓ２が複数回繰り返された場合には、ユーザは、打感や得られたショット特性値から、診断に用いるのに適したドライバーを１本選択する。画面Ｗ２上には、試打されたドライバーにそれぞれ対応するボタンＢ１が表示されており、ユーザは、いずれかのボタンＢ１を押すことで、特定のドライバーの選択をフィッティング装置２に入力することができる。なお、ステップＳ１，Ｓ２が１回しか実行されなかった場合には、画面Ｗ２上には、ボタンＢ１は１つしか表示されないか、或いは、ステップＳ３が省略されてもよい。
【００４０】
次に、ステップＳ４では、設定部２４Ｂは、図８に示すような画面Ｗ３を介して、計測のタイプの入力を受け付ける。本実施形態では、計測のタイプとして、ライト計測、ユーティリティ重点計測、ウッド重点計測及びフル計測の４種類がある。ライト計測とは、ウッド、ユーティリティ及びアイアンの各々について１本ずつ試打する計測である。また、ユーティリティ重点計測とは、ユーティリティ２本（異なる番手のもの）、ウッド１本及びアイアン１本を試打する計測である。ウッド重点計測とは、ウッド２本（異なる番手のもの）、ユーティリティ１本及びアイアン１本を試打する計測である。フル計測とは、ウッド２本（異なる番手のもの）、ユーティリティ２本（異なる番手のもの）及びアイアン１本を試打する計測である。画面Ｗ３上には、以上の計測のタイプにそれぞれ対応するボタンＢ２が表示されており、ユーザは、いずれかのボタンＢ２を押すことで、計測のタイプをフィッティング装置２に入力することができる。
【００４１】
次に、ステップＳ５では、設定部２４Ｂは、図９に示すような画面Ｗ４を介して、ウッド、ユーティリティ及びアイアンを含むゴルフクラブ群の中から、診断に用いるゴルフクラブの種類及び番手の入力を受け付ける。画面Ｗ４上には、以上のゴルフクラブ群にそれぞれ対応するボタンＢ３が表示されており、ユーザは、適当なボタンＢ３を押すことで、診断に用いるゴルフクラブの組み合わせをフィッティング装置２に入力することができる。なお、画面Ｗ４上のボタンＢ３は、ステップＳ４で選択された計測のタイプに沿った組み合わせしか押すことができないように設計されている。例えば、図９は、フル計測が選択された場合の画面であるが、この場合、ウッド２本、ユーティリティ２本及びアイアン１本に対応するボタンＢ３の組み合わせしか押すことができない。以下では、ステップＳ５で選択されたゴルフクラブを、テストクラブと呼ぶ。
【００４２】
次に、ステップＳ６では、設定部２４Ｂは、図１０に示すような画面Ｗ５を介して、テストクラブの打順の入力を受け付ける。本実施形態では、複数本のテストクラブをランダムに打つことはできない。すなわち、フィッティング装置２は、ウッドの番手の小さいものから大きいもの、ユーティリティの番手の小さいものから大きいもの、アイアンの番手の小さいものから大きいものの順番か、或いは、これと反対の順番に試打するようにゴルファー７を案内する。これは、テストクラブの試打により得られる計測データ（より正確には、計測データから得られるショット特性値）のデータの再現性を向上させるためである。従って、図１０に示すとおり、画面Ｗ５上には、以上の２種類の打順にそれぞれ対応する２つのボタンＢ４が表示されており、ユーザは、いずれかのボタンＢ４を押すことで、テストクラブの打順をフィッティング装置２に入力することができる。
【００４３】
続くステップＳ７，Ｓ８は、各テストクラブに対して繰り返し実行されるステップである。繰り返しの順番は、ステップＳ６で選択されたテストクラブの打順となる。ステップＳ７，Ｓ８では、現在選択されているテストクラブに対して、ステップＳ１，Ｓ２と同様の処理が実行される。
【００４４】
すなわち、まず、ステップＳ７では、表示部２１上に、図１１に示すような画面Ｗ６が表示される。画面Ｗ６の下部のエリアＣ１には、ゴルファー７に現在選択されているテストクラブを試打させるように案内するメッセージが表示される。そして、この案内に従って、ゴルファー７が該当するテストクラブを試打すると、その様子、特に、インパクトの前後のゴルフボール１２の周辺の画像が、カメラ１０により連続撮影される。この画像データは、カメラ１０からコントローラ１４を経てフィッティング装置２に送信される。取得部２４Ｃは、この画像データを取得し、後に特定部２４Ｄが適宜参照可能なようにソフトウェア管理領域２３１内の所定のディレクトリに保存する。
【００４５】
次に、ステップＳ８では、特定部２４Ｄは、現在選択されているテストクラブに関するソフトウェア管理領域２３１内の画像データを画像処理することにより、当該テストクラブについてのショット特性値を算出する。
【００４６】
また、ステップＳ８では、表示制御部２４Ａは、特定部２４Ｄにより算出された現在選択されているテストクラブについてのショット特性値の一覧表Ｃ２を画面Ｗ６上に表示する（図１２参照）。なお、ショット特性値のシミュレーションの精度を上げるため、ゴルファー７は、同じテストクラブを複数回試打することができる。この場合には、特定部２４Ｄにより、全試打でのショット特性値の平均値が算出されるが、図１２に示すとおり、一覧表Ｃ２には、この平均値に加え、各回のショット特性値も表示される。また、特定部２４Ｄは、各試打によるゴルフボール１２の軌道もシミュレーションし、表示制御部２４Ａは、画面Ｗ６上のエリアＣ３にこの軌道を２次元又は３次元グラフィック表示する。
【００４７】
なお、次のテストクラブの計測に移る場合には、ユーザは、画面Ｗ６上に表示されている次のテストクラブに対応するボタンＣ４を押せばよい。これにより、フィッティング装置２は、次のテストクラブに対しステップＳ７，Ｓ８を繰り返し実行することができる。一方、全てのテストクラブに対するステップＳ７，Ｓ８が終了した場合には、ユーザは、画面Ｗ１上の「計測終了」ボタンＣ５を押す。
【００４８】
全てのテストクラブについてのステップＳ７，Ｓ８が終了すると、ステップＳ９が実行される。ステップＳ９では、特定部２４Ｄは、選択候補の全てのゴルフクラブによる飛距離をシミュレーションにより算出する。このシミュレーションでは、これまでに算出されたショット特性値、及び記憶部２３内のスペック一覧テーブルが参照される。
【００４９】
まず、アイアンについての飛距離のシミュレーション方法を説明する。ここでは、特定部２４Ｄは、ロフト角の異なる全ての番手のアイアンによる飛距離を特定する。具体的には、特定部２４Ｄは、記憶部２３内のスペック一覧テーブルから、アイアンのテストクラブ（以下、テストアイアン）のロフト角ＬIを読み出すとともに、テストアイアン以外の各番手Ｎのロフト角ＬI-Nを読み出す。また、特定部２４Ｄは、ステップＳ２，Ｓ８での計算結果に基づいて、ドライバーについてのヘッドスピード（以下、ドライバヘッドスピード）ＳDと、テストアイアンによる飛距離ｄIを特定する。そして、テストアイアン以外の各番手Ｎの飛距離ｄI-Nを、下記式１に従って算出する。
【００５０】
（式１）
ＳDが高速（例えば、ＳD≧４２．５ｍ／ｓ）の場合、
全ての番手に対して、
ｄI-N＝ａ1（ＬI-N−ＬI）＋ｄI
ＳDが中程度（例えば、４２．５ｍ／ｓ＞ＳD≧３７．５ｍ／ｓ）の場合、
６番以上、ＰＷ、ＡＷ及びＳＷの番手に対して
ｄI-N＝ａ1（ＬI-N−ＬI）＋ｄI
５番以下の番手に対して
ｄI-N＝ａ2（ＬI-N−ＬI）＋ｄI
ＳDが低速（例えば、ＳD≦３７．５ｍ／ｓ）の場合、
６番以上、ＰＷ、ＡＷ及びＳＷの番手に対して
ｄI-N＝ａ1（ＬI-N−ＬI）＋ｄI
５番以下の番手に対して
ｄI-N＝ａ3（ＬI-N−ＬI）＋ｄI
【００５１】
ここで、ａ1は、ＳDに比例する定数であり、ＳDから算出される。また、ａ2，ａ3は、それぞれａ1に１より小さい所定の値を掛けた定数であり、｜ａ2｜＞｜ａ3｜である。
【００５２】
式１は、ゴルフボール１２の飛距離は、概ねロフト角に比例するという知見に基づいている。また、式１は、ヘッドスピードが遅くなると、この比例関係がやや崩れ、番手が一定以下（以上の例では５番以下であるが、５番以外、例えば、６番以下となることもある）となると、傾き（飛距離／ロフト角）がなだらかになるという知見に基づいている。
【００５３】
次に、ウッドについての飛距離のシミュレーション方法を説明する。ここでは、特定部２４Ｄは、ロフト角の異なる全ての番手のウッドによる飛距離を特定する。なお、ウッドのテストクラブ（以下、テストウッド）が１本の場合（ライト計測及びユーティリティ重点計測）と２本の場合（ウッド重点計測及びフル計測）とでは、計算方法が異なるが、以下、順に説明する。
【００５４】
まず、テストウッドが１本の場合、特定部２４Ｄは、記憶部２３内のスペック一覧テーブルから、テストウッドのロフト角ＬWを読み出すとともに、テストウッド以外の各番手Ｎのロフト角ＬW-Nを読み出す。また、特定部２４Ｄは、ステップＳ２，Ｓ８での計算結果に基づいて、ドライバヘッドスピードＳDと、テストウッドによる飛距離ｄWを特定する。そして、テストウッド以外の各番手Ｎの飛距離ｄW-Nを、下記式２に従って算出する。
【００５５】
（式２）
全ての番手に対して、
ｄW-N＝ａ4（ＬW-N−ＬW）＋ｄW
ここで、ａ4は、ＳDに比例する定数であり、ＳDから算出される。式２も、ゴルフボール１２の飛距離は、概ねロフト角に比例するという知見に基づいている。
【００５６】
一方、テストウッドが２本の場合、特定部２４Ｄは、記憶部２３内のスペック一覧テーブルから、２本のテストウッドのそれぞれのロフト角ＬW1，ＬW2を読み出すとともに、テストウッド以外の各番手Ｎのロフト角ＬW-Nを読み出す。また、特定部２４Ｄは、ステップＳ８での計算結果に基づいて、２本のテストウッドによる飛距離ｄW1，ｄW2を特定する。そして、テストウッド以外の各番手Ｎの飛距離ｄW-Nを、下記式３に従って算出する。
【００５７】
（式３）
全ての番手に対して、
ｄW-N＝ａ5（ＬW-N−ＬW）＋ｄW
ここで、ａ5は、定数であり、以下の式４により算出される。また、ＬWは、ＬW1，ＬW2のいずれか一方か、その平均であり、ｄWも、ｄW1，ｄW2のいずれか一方か、その平均である。式３，４も、ゴルフボール１２の飛距離は、概ねロフト角に比例するという知見に基づいている。
（式４）
ａ5＝（ｄW1−ｄW2）／（ＬW1−ＬW2）
【００５８】
次に、ユーティリティについての飛距離のシミュレーション方法を説明する。ここでは、特定部２４Ｄは、ロフト角の異なる全ての番手のユーティリティによる飛距離を特定する。なお、ユーティリティについての飛距離のシミュレーション方法は、以下に示す通り、ウッドの場合と同様である。従って、同様に、ユーティリティのテストクラブ（以下、テストユーティリティ）が１本の場合（ライト計測及びウッド重点計測）と２本の場合（ユーティリティ重点計測及びフル計測）とでは、計算方法が異なる。
【００５９】
すなわち、テストユーティリティが１本の場合、特定部２４Ｄは、記憶部２３内のスペック一覧テーブルから、テストユーティリティのロフト角ＬUを読み出すとともに、テストユーティリティ以外の各番手Ｎのロフト角ＬU-Nを読み出す。また、特定部２４Ｄは、ステップＳ２，Ｓ８での計算結果に基づいて、ドライバヘッドスピードＳDと、テストユーティリティによる飛距離ｄUを特定する。そして、テストユーティリティ以外の各番手Ｎの飛距離ｄU-Nを、下記式５に従って算出する。
【００６０】
（式５）
全ての番手に対して、
ｄU-N＝ａ6（ＬU-N−ＬU）＋ｄU
ここで、ａ6は、ＳDに比例する定数であり、ＳDから算出される。式５も、ゴルフボール１２の飛距離は、概ねロフト角に比例するという知見に基づいている。
【００６１】
一方、テストユーティリティが２本の場合、特定部２４Ｄは、記憶部２３内のスペック一覧テーブルから、２本のテストユーティリティのそれぞれのロフト角ＬU1，ＬU2を読み出すとともに、テストユーティリティ以外の各番手Ｎのロフト角ＬU-Nを読み出す。また、特定部２４Ｄは、ステップＳ８での計算結果に基づいて、２本のテストユーティリティのそれぞれについての飛距離ｄU1，ｄU2を特定する。そして、テストユーティリティ以外の各番手Ｎの飛距離ｄU-Nを、下記式６に従って算出する。
【００６２】
（式６）
全ての番手に対して、
ｄU-N＝ａ7（ＬU-N−ＬU）＋ｄU
ここで、ａ7は、定数であり、以下の式７により算出される。また、ＬUは、ＬU1，ＬU2のいずれか一方か、その平均であり、ｄUも、ｄU1，ｄU2のいずれか一方か、その平均である。式６，７も、ゴルフボール１２の飛距離は、概ねロフト角に比例するという知見に基づいている。
（式７）
ａ7＝（ｄU1−ｄU2）／（ＬU1−ＬU2）
【００６３】
ステップＳ９が終了すると、ステップＳ１０が実行される。ステップＳ１０では、判定部２４Ｅが、ウッド、ユーティリティ及びアイアンのうちいずれの種類をゴルファー７が得意としているかを判定する。具体的には、判定部２４Ｅは、ステップＳ９での計算結果に基づいて、ロフト角に対する飛距離がより大きいものを、ゴルファー７がより得意とする種類であると判定する。
【００６４】
本実施形態では、判定部２４Ｅは、ウッド、ユーティリティ及びアイアンの３つの種類間で、同じロフト角に対する飛距離を比較し、２勝した種類を最も得意な種類（ＮＯ．１．の種類）とし、１勝したものを２番目に得意な種類（ＮＯ．２の種類）とし、０勝のものを３番目に得意な種類（ＮＯ．３の種類）と判定する。なお、図２に示すとおり、本実施形態のウッド、ユーティリティ及びアイアン間には、ロフト角が全く同じものが存在しないため、以下の（１）〜（３）のとおり、ロフト角に重みを付けて比較する。
（１）（ｄW-5＋ｄW-7）／２とｄU-3とでどちらか大きいか
（２）ｄW-9と（ｄI-4＋ｄI-5）／２とでどちらか大きいか
（３）（ｄU-5＋ｄU-6）／２とｄI-5とでどちらか大きいか
【００６５】
続くステップＳ１１では、決定部２４Ｆが、選択候補のゴルフクラブの中から、ゴルファー７がより得意とする種類のゴルフクラブが優先されるように、ゴルフクラブのセットを決定する。具体的には、以下の手順で決定される。
【００６６】
既に述べたとおり、ゴルフクラブのセットには、必須要素として、ドライバーと、６番からＳＷまでのアイアンが含まれる。そして、これらの必須要素による飛距離のデータを順に並べたとき、ドライバーによる飛距離ｄDと６番アイアンによる飛距離ｄI-6との間が空白となる。従って、必須要素以外のゴルフクラブは、この空白の飛距離をできる限り均一に埋めるように選択されることが好ましい。
【００６７】
そこで、まず、決定部２４Ｆは、ドライバー以外で最も飛んだゴルフクラブ（以下、長距離クラブ。通常は、３番ウッドとなる。）を、ゴルフクラブのセットに含めるものとして確定させる。従って、この時点で、確定していないゴルフクラブは、残り４本である。次に、決定部２４Ｆは、ステップＳ９の計算結果に基づいて、長距離クラブによる飛距離ｄbと６番アイアンによる飛距離ｄI-6との間の空白の長さｄb−ｄI-6を算出し、これを確定していないゴルフクラブの本数４に１を加えた５で割り、番手間飛距離とする。そして、確定していないゴルフクラブの本数と同じ回数（すなわち、４回）、飛距離ｄI-6に番手間飛距離を順に足してゆく。以下では、このときに得られる４つの値を理想距離と呼ぶ。
【００６８】
決定部２４Ｆは、各理想距離を中心とする理想範囲を定義する（図１５参照）。なお、理想範囲の幅は、番手間飛距離に等しく、均一である。そして、選択候補のゴルフクラブのうち、ＮＯ．１の種類の全ての番手のゴルフクラブを、ステップＳ９で算出された飛距離に基づいて、可能な限り理想範囲に分類する。そして、決定部２４Ｆは、理想範囲に分類された全ての番手のゴルフクラブを、ゴルフクラブのセットに含めるものとして決定する。なお、複数の番手のゴルフクラブが同じ理想範囲に入った場合には、理想距離により近い飛距離の番手のゴルフクラブを、優先してセットに含める。
【００６９】
続いて、以上の処理でゴルフクラブの入っていない理想範囲が存在する場合には、決定部２４Ｆは、ＮＯ．２の種類のゴルフクラブをセットに含めることを検討する。すなわち、決定部２４Ｆは、選択候補のゴルフクラブのうち、ＮＯ．２の種類の全ての番手のゴルフクラブを、ステップＳ９で算出された飛距離に基づいて、未だ空いている理想範囲に対し可能な限り分類する。なお、複数の番手のゴルフクラブが同じ理想範囲に入った場合には、飛距離が理想距離により近い番手のゴルフクラブを、優先してセットに含める。ただし、このとき、ゴルフクラブのセットに含まれるゴルフクラブをその飛距離順に並べたときに、同じ種類のゴルフクラブの間に異なる種類のゴルフクラブが割り込むことを避けるため、以下のフィルタリングが行われる。すなわち、以下のいずれかの条件を満たすＮＯ．２のゴルフクラブのみが、ゴルフクラブのセットに含められることになる。
（１）既にゴルフクラブのセットに含められることが決定しているＮＯ．１の種類のゴルフクラブのうちの最も飛距離の長いゴルフクラブより、飛距離が長いゴルフクラブ。
（２）既にゴルフクラブのセットに含められることが決定しているＮＯ．１の種類のゴルフクラブのうちの最も飛距離の短いゴルフクラブより、飛距離が短いゴルフクラブ。
【００７０】
続いて、ＮＯ．２の種類の分類が終わっても、未だゴルフクラブの入っていない理想範囲が存在する場合には、決定部２４Ｆは、ＮＯ．３の種類のゴルフクラブをセットに含めることを検討する。すなわち、決定部２４Ｆは、選択候補のゴルフクラブのうち、ＮＯ．３の種類の全ての番手のゴルフクラブを、ステップＳ９で算出された飛距離に基づいて、未だ空いている理想範囲に対し可能な限り分類する。なお、複数の番手のゴルフクラブが同じ理想範囲に入った場合には、理想距離により近い飛距離の番手のゴルフクラブを、優先してセットに含める。ただし、このときも、ゴルフクラブのセットに含まれるゴルフクラブをその飛距離順に並べたときに、同じ種類のゴルフクラブの間に異なる種類のゴルフクラブが割り込むことを避けるため、以下のフィルタリングを行う。すなわち、以下のいずれかの条件を満たすＮＯ．３のゴルフクラブのみが、ゴルフクラブのセットに含められることになる。
（１）既にゴルフクラブのセットに含められることが決定しているＮＯ．１、ＮＯ．２の種類のゴルフクラブのうちの最も飛距離の長いゴルフクラブより、飛距離が長いゴルフクラブ。
（２）既にゴルフクラブのセットに含められることが決定しているＮＯ．１、ＮＯ．２の種類のゴルフクラブのうちの最も飛距離の短いゴルフクラブより、飛距離が短いゴルフクラブ。
【００７１】
なお、以上のフィルタリングの結果、全ての理想範囲が埋まらない場合があるが、その場合は、その理想距離は、空白のままとされる。この場合、ゴルフクラブのセットは、１４本に満たないことになる。
【００７２】
以上のとおり、ゴルファー７に適したゴルフクラブのセットが選択されると、表示制御部２４Ａは、表示部２１上に図１３に示す画面Ｗ７を表示する。画面Ｗ７は、選択されたゴルフクラブのセット（種類及び番号）を表示する画面である。図１３の例では、画面Ｗ７上のエリアＥ１において、選択されたゴルフクラブのセットがアイコン等を用いてグラフィカルに表現されている。また、画面Ｗ７上のエリアＥ６において、選択されたゴルフクラブのセットに含まれるゴルフクラブの本数も、数値で表現されている。
【００７３】
画面Ｗ７が表示されている間、ユーザは、ウッド、ユーティリティ又はアイアンが苦手である場合には、その旨をフィッティング装置２に入力し、ゴルフクラブのセットを再計算することができる。具体的には、設定部２４Ｂは、画面Ｗ７上の下部の選択ボタンＥ２内において、苦手な種類として、ウッド、ユーティリティ及びアイコンのうちのいずれか１つの選択を受け付けている。ここで、ウッド、ユーティリティ及びアイコンのうちのいずれかが選択されると、処理はステップＳ１０に戻り、ＮＯ．１〜ＮＯ．３の種類が再計算される。具体的には、画面Ｗ７上で苦手な種類として選択された種類をＮＯ．３の種類に繰り下げ、これに併せて、残りの種類を適宜繰り上げる。その後、再計算後の得意な順位に基づいて、ステップＳ１１も再度実行される。
【００７４】
また、画面Ｗ７が表示されている間、ユーザは、ＳＷを２本持ちたい場合には、その旨をフィッティング装置２に入力し、ゴルフクラブのセットを再計算することができる。具体的には、設定部２４Ｂは、画面Ｗ７上の下方右側の選択ボタンＥ３内において、この選択を受け付けている。そして、ユーザにより、選択ボタンＥ３が選択されると、処理はステップＳ１１に戻り、確定していないゴルフクラブの本数を１本減らした（本実施形態では、５本から４本に）上で、ステップＳ１１が再度実行される。
【００７５】
また、画面Ｗ７上には、「あなたの特長」ボタンＥ４が表示されている。ユーザによりこのボタンＥ４が押されると、表示制御部２４Ａは、表示部２１上に図１４に示す画面Ｗ８を表示する（ステップＳ１２）。この画面Ｗ８上には、選択されたゴルフクラブのセットを始め、ＮＯ．１の種類を示す情報、ゴルファー７の特長を示す情報が文章や図等の態様で表示される。なお、図１３及び図１４のフィッティングの結果を示す画面Ｗ７，Ｗ８は、ユーザが印刷ボタンＥ５を押したときに、印刷制御部２４Ｇによりプリントアウトされる。
【００７６】
＜５．特徴＞
上記実施形態では、ウッド、ユーティリティ及びアイアン間でロフト角に対する飛距離が比較され、ロフト角に対する飛距離が大きいゴルフクラブの種類が、ゴルファー７の得意種類と判定される。ここで、一般に、ゴルフクラブのロフト角が小さくなる程、ゴルフクラブが長くなる等し、扱いが難しくなる。従って、ロフト角に対する飛距離が大きいということは、扱いが難しいにも関わらず、飛距離が伸びていることを意味するから、上記実施形態では、そのようなロフト角に対する飛距離を実現する種類が、ゴルファー７の得意とする種類であると判断される。言い換えると、同じ難易度、すなわち、同じロフト角なら、より飛距離の伸びる種類のゴルフクラブが得意と判断される。よって、ここでは、ゴルファー７が、ウッド、ユーティリティ及びアイアンのうちのいずれを得意としているのかを定量的に判定し、ゴルファー７に適したゴルフクラブのセットの選択を支援することができる。
【００７７】
＜６．変形例＞
以上、本発明の一実施形態について説明したが、本発明は上記実施形態に限定されるものではなく、その趣旨を逸脱しない限りにおいて、種々の変更が可能である。例えば、以下の変更が可能である。また、以下の変形例の要旨は、適宜組み合わせることができる。
【００７８】
＜６−１＞
必須要素は、上述したものに限られない。特に男性用と女性用とでは、必須要素を変更することができる。この場合、設定部２４Ｂは、ゴルファー７が男性であるか女性であるかの性別情報の入力を受け付け、この性別情報に基づいて、必須要素を変更した上で、フィッティング処理を実行する。
【００７９】
＜６−２＞
計測のタイプは、上述したものに限られず、例えば、アイアンを複数本試打可能なタイプがあってもよいし、ウッド及び／又はユーティリティの試打の本数が１本又は３本以上であってもよい。また、計測のタイプが１つしかなく、選択できないようにしてもよい。
【００８０】
＜６−３＞
ゴルファー７に応じてカスタマイズされるゴルフクラブの種類は、ウッド、ユーティリティ及びアイアンの組み合わせに限られない。どの種類をカスタマイズの対象とするかは、ゴルフクラブのラインナップや、必須要素が何であるのか等の条件に応じて、適宜設定される。
【００８１】
＜６−４＞
上記実施形態では、ステップＳ１２においてＮＯ．１の種類を示す情報がユーザに対して提示されたが、当該情報は、ステップＳ１１におけるフィッティング装置２の内部処理だけに使用され、ユーザに対し提示されないようにしてもよい。或いは、ステップＳ１１を省略して、具体的なゴルフクラブのセットがフィッティング装置２により算出されないようにしてもよい。この場合、ユーザは、ステップＳ１２により（ただし、最適なゴルフクラブのセットは表示されない）ＮＯ．１〜ＮＯ．３の種類を知り、この情報を参考にしながら、自分でゴルフクラブのセットを選択することができる。
【符号の説明】
【００８２】
１  計測システム
２  フィッティング装置
１００  フィッティングシステム
【図１】
2015077246.tif 000003
【図２】
2015077246.tif 000004
【図３】
2015077246.tif 000005
【図４】
2015077246.tif 000006
【図５】
2015077246.tif 000007
【図６】
2015077246.tif 000008
【図７】
2015077246.tif 000009
【図８】
2015077246.tif 000010
【図９】
2015077246.tif 000011
【図１０】
2015077246.tif 000012
【図１１】
2015077246.tif 000013
【図１２】
2015077246.tif 000014
【図１３】
2015077246.tif 000015
【図１４】
2015077246.tif 000016
【図１５】
2015077246.tif 000017